(57)【特許請求の範囲】
【請求項１】
ディスクの面に沿って移動する移動ベースに、ディスクに検知光を与えるとともにディスクからの反射光を補足する対物レンズを有するレンズユニットと、検知光の発光と反射光の受光の少なくとも一方の機能を有する素子が設けられた素子ユニットとが搭載されている光ピックアップ装置において、
前記移動ベースに、金属板で形成された補助部材が装着されており、前記補助部材に、前記素子ユニットを前記移動ベースに押圧する第１の板ばねと、前記レンズユニットを前記移動ベースに押圧する第２の板ばねとが一体に形成され、前記第２の板ばねが、前記移動ベースの固定基準面に固定される固定基部と、前記レンズユニットを押圧する押圧端部とを有し、前記第１の板ばねで前記素子ユニットを押圧する方向と、前記移動ベースに対して前記補助部材を装着する装着方向とが同じ向きであり、前記第２の板ばねが前記装着方向に延びており、
前記補助部材が前記移動ベースに装着され、かつ前記固定基部を前記固定基準面に押し付ける力が加えられる前の状態では、前記第２の板ばねは、前記固定基部が前記固定基準面から離れているとともに、前記押圧端部が前記移動ベースに設置される前記レンズユニットから離れる向きに延びており、前記固定基部が前記固定基準面に押し付けられる力で前記第２の板ばねが変形して、前記押圧端部で前記レンズユニットが押圧されることを特徴とする光ピックアップ装置。
【請求項２】
前記第２の板ばねの前記固定基部に、固定ねじを挿通する固定穴が形成され、前記補助部材の本体部と前記固定穴との境界部に、切欠き部が形成されている請求項１記載の光ピックアップ装置。
【請求項３】
前記補助部材に、前記移動ベースを案内するガイド軸に圧接する第３の板ばねが一体に形成されており、前記第３の板ばねが、前記移動ベースの外側の領域で、前記移動ベースの移動方向に沿って延びている請求項１または２に記載の光ピックアップ装置。
【請求項４】
前記補助部材の本体部によって、前記素子ユニットから延び出る配線部材が前記移動ベースに押し付けられている請求項１ないし３のいずれかに記載の光ピックアップ装置。
【発明の詳細な説明】
【技術分野】
【０００１】
本発明は、光ディスクに記録された情報を読み取り、または光ディスクに情報を記録する光ピックアップ装置に係り、特に、対物レンズを有するレンズユニットと、発光素子や受光素子を有する素子ユニットとを押圧する板ばねが設けられた光ピックアップ装置に関する。
【背景技術】
【０００２】
コンパクト・ディスクやディジタル・バーサタイル・ディスクまたはブルーレイ・ディスクなどの各種光ディスクに記録された情報を再生し、あるいは情報を記録するディスク装置には、ディスクを回転駆動する回転駆動部と、回転するディスクに沿って移動する光ピックアップ装置が設けられている。
【０００３】
光ピックアップ装置は、ディスクの記録面に沿って移動する移動ベースに、ディスクに対向する対物レンズを有するレンズユニットとチルト調整機構とが搭載されている。チルト調整機構は、レンズユニットを移動ベース上で傾き調整し、対物レンズの光軸がディスクの記録面になるべく垂直に当たるように調整した後にレンズユニットを固定するためのものである。また、移動ベースに、対物レンズに検知光を与えるとともにディスクからの反射光を検知する受発光素子が搭載されている。
【０００４】
特許文献１に記載された光学式ピックアップは、移動ベースであるシャーシに、対物レンズを搭載したレンズユニットであるアクチュエータと、チルト調整機構と、支持板に受発光ユニットが搭載された素子ユニットとが取り付けられている。
【０００５】
この光学式ピックアップでは、チルト調整機構によってアクチュエータの傾きを調整する際に、アクチュエータの一部をシャーシに抑え付けるチルト調整用の板ばねが設けられている。また、シャーシに金属板で形成された放熱カバーが取り付けられており、放熱カバーに設けられた弾性片が受発光ユニットに接触して、受発光ユニットから発せられる熱が放熱カバーに伝達される。
【０００６】
特許文献２に記載された光ディスク記録再生装置は、移動ベースである基台に、対物レンズを有するレンズユニットであるレンズ駆動体と、チルト調整機構と、レンズユニットであるレーザモジュールが搭載されている。
【０００７】
この発明では、基台にレーザ放熱用板バネが取り付けられ、このレーザ放熱用板バネに、レーザモジュールの放熱部に接触する放熱用突起部と、傾き調整の際にレンズ駆動体を押さえる光軸チルト調整用押さえバネの双方が一体に形成されている。
【先行技術文献】
【特許文献】
【０００８】
【特許文献１】特開２００５−３５３１２０号公報
【特許文献２】特開２００１−２９７４６７号公報
【発明の概要】
【発明が解決しようとする課題】
【０００９】
特許文献１に記載された光学式ピックアップは、チルト調整用の板ばねと、受発光ユニットに接触する放熱カバーとが別の部材として構成されているため、部品点数が多く、チルト調整用の板ばねと放熱カバーをシャーシに別々に取り付けることが必要であるため、組み立作業が煩雑である。
【００１０】
特許文献２に記載された光ディスク記録再生装置は、レーザ放熱用板バネに放熱用突起部と光軸チルト調整用押さえバネとが一体に形成されているため、部品点数と組み立て工数を削減することが可能である。しかし、光軸チルト調整用押さえバネは、レンズユニットを基台の底部に向けて弾圧できる構造であるため、組み立作業において、先にレーザ放熱用板バネを基台に取り付けた状態で、基台にレンズ駆動体を組み込もうとすると、光軸チルト調整用押さえバネを持ち上げて、その下へレンズ駆動体を入り込ませる作業が必要になり、光軸チルト調整用押さえバネが変形しやすくなる問題がある。
【００１１】
また、先に、基台にレンズ駆動体を設置してからレーザ放熱用板バネを組み込む組み立て作業においても、光軸チルト調整用押さえバネを持ち上げながら、レーザ放熱用板バネを組み込む必要があり、光軸チルト調整用押さえバネが変形したり損傷しやすくなる課題がある。
【００１２】
本発明は上記従来の課題を解決するものであり、発光や受光機能を発揮する素子ユニットを押さえる第１の板ばねとレンズユニットを押さえる第２の板ばねとが一体に設けられた補助部材を使用しても、第２の板ばねの変形や破損が生じにくく、組立作業が容易になる光ピックアップ装置を提供することを目的としている。
【課題を解決するための手段】
【００１３】
本発明は、ディスクの面に沿って移動する移動ベースに、ディスクに検知光を与えるとともにディスクからの反射光を補足する対物レンズを有するレンズユニットと、検知光の発光と反射光の受光の少なくとも一方の機能を有する素子が設けられた素子ユニットとが搭載されている光ピックアップ装置において、
前記移動ベースに、金属板で形成された補助部材が装着されており、前記補助部材に、前記素子ユニットを前記移動ベースに押圧する第１の板ばねと、前記レンズユニットを前記移動ベースに押圧する第２の板ばねとが一体に形成され、前記第２の板ばねが、前記移動ベースの固定基準面に固定される固定基部と、前記レンズユニットを押圧する押圧端部とを有し、前記第１の板ばねで前記素子ユニットを押圧する方向と、前記移動ベースに対して前記補助部材を装着する装着方向とが同じ向きであり、前記第２の板ばねが前記装着方向に延びており、
前記補助部材が前記移動ベースに装着され、かつ前記固定基部を前記固定基準面に押し付ける力が加えられる前の状態では、前記第２の板ばねは、前記固定基部が前記固定基準面から離れているとともに、前記押圧端部が前記移動ベースに設置される前記レンズユニットから離れる向きに延びており、前記固定基部が前記固定基準面に押し付けられる力で前記第２の板ばねが変形して、前記押圧端部で前記レンズユニットが押圧されることを特徴とするものである。
【００１４】
本発明の光ピックアップ装置は、第２の板ばねが予めレンズユニットから離れる向きに設定されているため、補助部材を移動ベースに装着するときに、第２の板ばねを持ち上げる必要がない。補助部材を移動ベースに装着した後に、第２の板ばねの固定基部を移動ベースに固定することで、第２の板ばねが変形して、押圧端部でレンズユニットを適正な弾圧力で押さえることが可能になる。
また、補助部材を一方向へ向けて装着するだけで、第１の板ばねを素子ユニットに弾圧させることができ、且つ第２の板ばねをレンズユニットに対向させることが可能である。
【００１５】
本発明は、前記第２の板ばねの前記固定基部に、固定ねじを挿通する固定穴が形成され、前記補助部材の本体部と前記固定穴との境界部に、切欠き部が形成されているものである。
【００１６】
上記切欠き部が形成されていると、固定基部を移動ベースにねじ止めしたときに、その締め付け力で第２の板ばねが変形しやすくなって、押圧端部でレンズユニットを適正な弾性力で押圧できるようになる。
【００１９】
本発明は、前記補助部材に、前記移動ベースを案内するガイド軸に圧接する第３の板ばねが一体に形成されており、前記第３の板ばねが、前記移動ベースの外側の領域で、前記移動ベースの移動方向に沿って延びているものとして構成できる。
【００２０】
また、前記補助部材の本体部によって、前記素子ユニットから延び出る配線部材が前記移動ベースに押し付けられているものとすることができる。
【発明の効果】
【００２１】
本発明は、第１の板ばねと第２の板ばねとが同じ補助部材で一体に形成されているため、部品点数を少なくできる。移動ベースに対して補助部材を一方向へ組み付けるだけで、第１の板ばねを素子ユニットに弾圧させ、且つ第２の板ばねをレンズユニットに対向させることができるため、組み付け作業が容易になる。
【００２２】
第２の板ばねは、固定基部を移動ベースに固定するまで、押圧端部が移動ベースから離れる向きに変形しているため、組み立作業の際に第２の板ばねを持ち上げて変形させる必要がなく、第２の板ばねの変形や破損を防止しやすくなる。
【図面の簡単な説明】
【００２３】
【図１】本発明の実施の形態の光ピックアップ装置の斜視図、
【図２】図１に示す光ピックアップ装置に補助部材を取り付ける作業を示す分解斜視図、
【図３】光ピックアップ装置の縦断面図、
【図４】移動シャーシの構造を示す平面図、
【図５】第２の板ばねでレンズユニットを押圧する組立て作業を示す部分断面図、
【発明を実施するための形態】
【００２４】
図１に示す光ピックアップ装置１は、コンパクト・ディスクやディジタル・バーサタイル・ディスクまたはブルーレイ・ディスクなどの各種光ディスクに記録された情報を再生し、情報を記録するためのディスク装置に装備される。
【００２５】
ディスク装置には、ディスクの中心部を保持して回転駆動する回転駆動部と、図１に示す光ピックアップ装置１とが装備されている。光ピックアップ装置１は、２つのガイド軸２，３に案内されて、ディスクの記録面に沿ってディスクの半径方向へ移動させられる。
【００２６】
図２に示すように、光ピックアップ装置１は、移動ベース１０と、移動ベース１０に搭載されるレンズユニット２０と、移動ベース１０に取り付けられる素子ユニット３０ならびに補助部材４０とを有している。
【００２７】
移動ベース１０は合成樹脂材料またはアルミニウム合金などで形成されている。図１と図２に示すように、移動ベース１０の一方の側部（Ｘ１側の側部）に、基準軸受部１１が一体に形成されている。基準軸受部１１には、一対の軸受穴１１ａ，１１ｂが形成され、軸受穴１１ａ，１１ｂが、移動基準となる一方のガイド軸２に最小の隙間を介して挿通されている。移動ベース１０の他方の側部（Ｘ２側の側部）に軸受部１２が設けられ、この軸受部１２と補助部材４０に設けられた第３の板ばね５３とで他方のガイド軸３が挟まれている。移動ベース１０は、ガイド軸２の軸中心線を移動基準線としてディスクの面に沿ってＹ１−Ｙ２方向へ直線的に移動できる。
【００２８】
ディスク装置には、ガイド軸２と平行に配置されたスクリュー軸とモータの動力でスクリュー軸を回転させるスレット機構とが設けられている。移動ベース１０には、基準軸受部１１からＸ１方向に延びる板ばね部材が設けられ、板ばね部材に摺動掛止部が一体に形成されている。摺動掛止部がスクリュー軸の雄ねじ溝に摺動自在に掛止され、スクリュー軸の回転力が摺動掛止部ならびに板ばね部材から移動ベース１０に与えられて、移動ベース１０がガイド軸２，３に沿ってＹ１−Ｙ２方向へ移動させられる。
【００２９】
図４に示すように、移動ベース１０の内部で且つ底部には、３箇所に調整凹部１３，１３，１３が一体に形成されている。調整凹部１３，１３，１３は部分曲面形状であり、図３に示すように、調整凹部１３，１３，１３が、同一の仮想球面Ｑの一部の周面に一致している。移動ベース１０に調整穴１４ａ，１４ｂが形成されている。図１と図２に示すように、一方の調整穴１４ａは、移動ベース１０の側壁部に形成された隆起部１０ａを上下に貫通して形成され、図４に示すように、他方の調整穴１４ｂは、移動ベース１０の底部１０ｂを貫通して形成されている。
【００３０】
図４に示すように、移動ベース１０には、Ｘ２側に向く側面１０ｃに開口してＸ１−Ｘ２方向に延びる光通路１５が形成されている。図３にも示すように、移動ベース１０の底部１０ｂには、光通路１５の延長上に光学支持部１０ｄが形成され、この光学支持部１０ｄに反射部材１６が設置されている。反射部材１６によって、Ｘ１方向に向く検知光が上方（Ｚ１方向）へ反射され、下方（Ｚ２方向）に向く反射光がＸ２方向へ向けられる。
【００３１】
図２と図４に示すように、移動ベース１０のＸ２側で且つＹ２側の側部に、ばね固定基準面１０ｅが形成されている。ばね固定基準面１０ｅは、回転駆動部に保持されるディスクの記録面と平行な平面である。ばね固定基準面１０ｅに、Ｚ２方向に向けて雌ねじ穴である固定ねじ穴１７が形成され、固定ねじ穴１７よりもＸ２側に、小凹部１８が形成されている。
【００３２】
図２に示すように、移動ベース１０のＸ２方向に向く前記側面１０ｃでは、Ｙ１側で且つＺ２側の角部に、Ｘ２方向へ突出する位置決め突起１９が一体に形成されている。
【００３３】
図３に示すように、レンズユニット２０は、ユニットベース２１ａと、ユニットベース２１ａを覆うユニットカバー２１ｂを有している。ユニットカバー２１ｂの内部に対物レンズ２２を保持するレンズホルダ２３が設けられており、対物レンズ２２は、ユニットカバー２１ｂに形成された開口部２１ｃの内部に位置している。レンズホルダ２３は、ユニットベース２１ａから延びる鋼線で形成されたサスペンションによって、トラッキング方向（Y方向）とフォーカシング方向（Ｚ方向）へ振動自在に支持されている。
【００３４】
ユニットベース２１ａ上には、レンズホルダ２３をトラッキング方向とフォーカシング方向へ振動させる補正駆動機構が設けられている。駆動補正機構は、レンズホルダ２３に搭載されたトラッキング補正コイルならびにフォーカシング補正コイルと、ユニットベース２１ａに支持されて各コイルに対向するマグネットとから構成されている。トラッキングコイルに通電されることで、レンズホルダ２３がトラッキング補正方向（Ｙ方向）へ駆動され、フォーカシングコイルに通電されることで、レンズホルダ２３がフォーカシング補正方向（Ｚ方向）へ駆動される。
【００３５】
図３に示すように、ユニットベース２１ａの３箇所に摺動突起２４，２４，２４が形成され、摺動突起２４，２４，２４のそれぞれが調整凹部１３，１３，１３に摺動自在に当接している。図３に示すように、対物レンズ２２の光軸Ｌ１は、移動ベース１０に固定された反射部材１６の真上で基本的にはＺ方向に延びている。設計上は、対物レンズ２２の主点Ｌ０が、調整凹部１３，１３，１３を含む前記仮想球面Ｑの中心に位置している。
【００３６】
図２に示すように、素子ユニット３０は、ユニット基板３１を有している。ユニット基板３１は、アルミニウムなどの金属板、またはガラスエポキシなどの合成基板である。ユニット基板３１のＸ２側に向く表面にフレキシブル回路基板３２が積層されて接着剤で固定されている。素子ユニット３０には、ユニット基板３１とフレキシブル回路基板３２とを貫通する一対の取付け穴３０ａ，３０ｂが形成されている。
【００３７】
フレキシブル回路基板３２は可撓性の樹脂フィルムで形成され、Ｘ２側に向く表面に導電パターンが形成されている。フレキシブル回路基板３２のＸ２側に向く表面に、受発光素子３３が固定されており、受発光素子３３から延びる複数の端子３３ａが、前記導電パターンに導通するランド部に半田付けなどで固定されている。
【００３８】
受発光素子３３は、検知光であるレーザ光を発する発光素子（発光部）と、受光素子（受光部）とが一体化されたものである。検知光は前記光通路１５を経て反射部材１６に与えられ、Ｚ１方向へ反射させられて、対物レンズ２２によってディスクの記録面に集光される。ディスクの記録面で反射された反射光は、対物レンズ２２で補足され、反射部材１６で反射されて、光通路１５を経て受光素子で検知される。
【００３９】
なお、素子ユニットとしては、発光素子と受光素子のいずれか一方の素子がユニット基板３１に固定されているものであって、他方の素子が他の手段で移動ベース１０に固定されているものであってもよい。
【００４０】
図２に示すように、フレキシブル回路基板３２には、ユニット基板３１から外れてＹ１方向へ延長される側方延長部３２ａが延び出ている。側方延長部３２ａの先に、レンズユニット２０のユニットカバー２１ｂのＹ１側の側面を通過する側面リード部３２ｂが形成され、さらにその先にレンズユニット２０のＸ１側に向く側面に位置する駆動配線部３２ｃが形成されている。レンズユニット２０に設けられた前記トラッキングコイルとフォーカシングコイルは、駆動配線部３２ｃの導電パターンに導通している。
【００４１】
フレキシブル回路基板３２には、ユニット基板３１から外れてＺ１方向へ延長される上方延長部３２ｄが一体に形成されており、上方延長部３２ｄから、Ｙ１方向へ延びる外部引出し部３２ｅが連続している。外部引出し部３２ｅの表面に形成されたリードパターンによって、前記受発光素子３３と、トラッキングコイルならびにフォーカシングコイルが、外部の駆動回路ならびに検知回路に接続されている。
【００４２】
補助部材４０は、板ばね保持部材として機能しさらに放熱部材として機能する。補助部材４０は、板ばねとして機能できるステンレス鋼板またはリン青銅板などのばね性金属板から折り曲げられて形成されている。
【００４３】
図２に示すように、補助部材４０は、垂直方向に延びる第１の板部４１と水平方向に延びる第２の板部４２とが折り曲げられており、第１の板部４１と第２の板部４２とで本体部４３が構成されている。第１の板部４１には、Ｙ１側の側部から折り曲げられて、Ｘ１側に位置する取付け片４４ａと、Ｙ２側の側部から折り曲げられて、Ｘ１側に位置する取付け片４４ｂとが折曲げ形成されている。取付け片４４ａに取付け穴４５ａが、取付け片４４ｂに取付け穴４５ｂが形成されている。また取付け片４４ａに、位置決め凹部４６が形成されている。
【００４４】
本体部４３の第１の板部４１に、第１の板ばね４７が一体に形成されている。第１の板ばね４７は、折曲げ基部４７ａを基端としてＹ１方向へ延び、Ｙ１方向の先端部が押圧接触部４７ｂとなっている。
【００４５】
補助部材４０の本体部４３の第２の板部４２は、Ｘ−Ｙ平面と平行に延びている。図１に示すように、第２の板部４２は、素子ユニット３０のフレキシブル回路基板３２の上方延長部３２ｄを、移動ベース１０の側部上面１０ｆに押さえ込む押さえ部材（押さえ板）として機能している。
【００４６】
図２に示すように、第２の板部４２の一部にＹ２方向へ延びる延長部４２ａが形成されており、この延長部４２ａから、第２の板ばね４８がＸ１方向へ連続して延びている。第２の板ばね４８は、延長部４２ａと繋がる固定基部４８ａと、Ｘ１方向の自由端に形成された押圧端部４８ｂとを有している。固定基部４８ａと延長部４２ａとの境界部に切欠き部４９が形成されている。固定基部４８ａには固定穴５１が開口しており、切欠き部４９が固定穴５１を囲む形状に形成されている。
【００４７】
本体部４３の一部である延長部４２ａと、第２の板ばね４８の固定基部４８ａは、切欠き部４９を境界として区分されている。この境界部では、切欠き部４９の両側の細幅部５２ａ，５２ｂにおいて補助部材４０を構成する金属板が曲げ変形させられて、図２と図５（Ａ）に示すように、外力が与えられていない自由状態で、第２の板ばね４８の押圧端部４８ｂがＺ１方向へ持ち上げられている。
【００４８】
図２に示すように、補助部材４０には、第１の板部４１の下端部に第３の板ばね５３が一体に形成されている。第３の板ばね５３は、移動ベース１０のＸ１側の外部でＹ方向に延びている。第３の板ばね５３は、Ｙ１側に基端部５３ａが位置し、Ｙ２側に向けられた自由端に挟持突部５３ｂが一体に形成されている。また、第１の板部４１のＹ２側の下端部にストッパ片５４が折り曲げられている。ストッパ片５４は、第３の板ばね５３に隙間を介してＺ１方向で対向しており、組み立作業時などにおいて、第３の板ばね５３がＺ１方向へ向けて不用意に変形させられることなどが防止されている。
【００４９】
次に、前記光ピックアップ装置１の組み立て方法および調整方法を説明する。
図２に示すように、移動ベース１０の側面１０ｃに素子ユニット３０のユニット基板３１が設置され、フレキシブル回路基板３２の上方延長部３２ｄが折り曲げられて、移動ベース１０の側部上面１０ｆに設置される。その状態で、補助部材４０が移動ベース１０に装着される。このときの装着方向は、Ｘ１方向である。すなわち、補助部材４０の装着方向は、第１の板ばね４７による弾圧方向ならびに第２の板ばね４８の延びている方向と同じである。
【００５０】
補助部材４０の取付け作業では、取付けねじ５７が、補助部材４０の取付け穴４５ａと素子ユニット３０の取付け穴３０ａに挿入されて、移動ベース１０の側面１０ｃに形成された雌ねじ穴に螺着される。同様に、取付けねじ５８が、補助部材４０の取付け穴４５ｂと素子ユニット３０の取付け穴３０ｂに挿入されて、移動ベース１０の側面１０ｃに形成された雌ねじ穴に螺着される。
【００５１】
補助部材４０が移動ベース１０に装着されると、第１の板ばね４７の押圧接触部４７ｂが受発光素子３３のＸ２側の表面に当たる。図５（Ａ）に示すように、第２の板ばね４８の固定基部４８ａは、移動ベース１０のばね固定基準面１０ｅの上に設置されるが、第２の板ばね４８の固定基部４８ａのＸ２側の端部が、ばね固定基準面１０ｅに形成された小凹部１８の内部に入り込むため、第２の板ばね４８は、押圧端部４８ｂがＺ１方向へ持ち上げられた姿勢を維持している。
【００５２】
補助部材４０が装着された後に、移動ベース１０にレンズユニット２０が搭載される。図５（Ａ）に示すように、第２の板ばね４８が上向きの姿勢であるため、第２の板ばね４８に無理な持ち上げ力を与える必要なく、第２の板ばね４８の下側にレンズユニット２０を設置することができる。
【００５３】
図４に示すように、移動ベース１０を貫通している調整穴１４ａに、図１と図２に示すに調整ねじ６１が下から上向きに挿通される。レンズユニット２０のユニットベース２１ａにはＹ１側に突出部２６が一体に形成され、突出部２６に調整雌ねじ穴２７が形成されている。前記調整穴１４ａに下から挿入された調整ねじ６１の上端が調整雌ねじ穴２７に螺着される。図３に示すように、移動ベース１０の底部１０ｂを貫通している調整穴１４ｂに調整ねじ６２が下から上向きに挿通される。レンズユニット２０のユニットベース２１ａに形成された調整雌ねじ穴２８に調整ねじ６２が螺着される。前記調整ねじ６１，６２によって、移動ベース１０上にレンズユニット２０が仮り固定される。
【００５４】
移動ベース１０に対する組み付けは前記順番に限られるものではなく、先に、レンズユニット２０が組みつけられて調整ねじ６１，６２で仮り固定された後に、移動ベース１０の側面１０ｃに素子ユニット３０が設置されて、補助部材４０がＸ１方向へ向けて装着されてもよい。
【００５５】
この組み付け手順においても、図５（Ａ）に示すように、第２の板ばね４８の押圧端部４８ｂが上方へ向けられた状態で、補助部材４０がＸ１方向へ向けて装着されるため、第２の板ばね４８の押圧端部４８ｂが、移動ベース１０やレンズユニット２０に当たりにくくなり、第２の板ばね４８に不用意な曲げ力が作用するのを防止しやすい。
【００５６】
補助部材４０が移動ベース１０に装着されると、第１の板ばね４７の押圧接触部４７ｂによって、受発光素子３３が移動ベース１０の側面１０ｃに押し付けられる。取付けねじ５７，５８を完全に締め付ける前に、側面１０ｃに押し付けられている素子ユニット３０を動かすことで、受発光素子３３の光軸の位置調整を行うことが可能である。
【００５７】
受発光素子３３の光軸の位置調整が完了したら、取付けねじ５７，５８を締め付けることで、素子ユニット３０と補助部材４０が移動ベース１０に固定され、フレキシブル回路基板３２の上方延長部３２ｄが、第２の板部４２によって、移動ベース１０の側部上面１０ｆに押し付けられて保持される。
【００５８】
補助部材４０は放熱部材としても機能でき、受発光素子３３から発せられる熱が、第１の板ばね４７から比較的広い面積の第２の板部４２に伝わって放熱される。
【００５９】
図１と図５（Ｂ）に示すように、固定ねじ５９は、第２の板ばね４８の固定基部４８ａに形成された固定穴５１に挿通されて、移動ベース１０に形成された固定ねじ穴１７に螺着される。固定ねじ５９が締め付けられると、固定ねじ５９の頭部５９ａによって第２の板ばね４８の固定基部４８ａが、移動ベース１０のばね固定基準面１０ｅに押し付けられる。固定基部４８ａが水平なばね固定基準面１０ｅに密着するために、第２の板ばね４８は押圧端部４８ｂがＺ２方向へ大きく下がる状態に変形させられる。そして、押圧端部４８ｂによって、レンズユニット２０のユニットベース２１ａに形成された被押圧部２０ａが下向きに押され、図３に示すレンズユニット２０の３箇所の摺動突起２４，２４，２４が、移動ベース１０に形成された３箇所の調整凹部１３，１３，１３に押し付けられる。
【００６０】
移動ベース１０に下から装着されている調整ねじ６１のねじ込み量を調整すると、摺動突起２４，２４，２４が仮想球面Ｑ上に位置する調整凹部１３，１３，１３を摺動して、対物レンズ２２の光軸Ｌ１のＹ１−Ｙ２方向への倒れを補正するラジアルスキュー調整が行われる。調整ねじ６２のねじ込み量を調整すると、対物レンズ２２の光軸Ｌ１のＸ１−Ｘ２方向への倒れを補正するタンゼンシャルスキュー調整が行われる。
【００６１】
なお、前記実施の形態では、図５（Ｂ）に示すように、固定ねじ５９の頭部５９ａによって、第２の板ばね４８の固定基部４８ａが、移動ベース１０のばね固定基準面１０ｅに押し付けられているが、例えば、固定基部４８ａが固定ねじ５９以外の手段で押し付けられてもよい。例えば、固定基部４８ａを押し付ける金具がねじで移動ベース１０に固定されてもよいし、ばねグリップで固定基部４８ａが移動ベース１０に押し付けられてもよい。
【００６２】
組み立てが完了した光ピックアップ装置１は、移動ベース１０の一方の側部に形成された軸受穴１１ａ，１１ｂが、ガイド軸２に挿通される。移動ベース１０の他方の側部では、第３の板ばね５３の自由端の挟持突部５３ｂと軸受部１２とでガイド軸３が挟持される。そして、スクリュー軸の回転によって、光ピックアップ装置１をガイド軸２，３に沿って移動させることができるようになる。
【００６３】
なお、調整ねじ６１，６２を使用したスキュー調整は、移動ベース１０がディスク装置のガイド軸２，３に支持され、回転駆動部にディスクを設置できる状態で行われる。
【００６４】
図２に示すように、第３の板ばね５３は、移動ベース１０のＸ２側の外部においてガイド軸２，３の案内方向であるＹ１−Ｙ２方向へ延びているため、小型の補助部材４０において第３の板ばね５３の自由長を十分に長く確保することができ、挟持突部５３ｂでガイド軸３を挟持する力を広い範囲で調整することが可能である。
【符号の説明】
【００６５】
１  光ピックアップ装置
２，３  ガイド軸
１０  移動ベース
１０ｅ  ばね固定基準面
１３  調整凹部
１４ａ，１４ｂ  調整穴
１７  固定ねじ穴
１８  小凹部
２０  レンズユニット
２０ａ  被押圧部
２１ａ  ユニットベース
２２  対物レンズ
２４  摺動突起
３０  素子ユニット
３１  ユニット基板
３２  フレキシブル回路基板
３３  受発光素子
４０  補助部材
４３  本体部
４７  第１の板ばね
４８  第２の板ばね
４８ａ  固定端部
４８ｂ  押圧端部
４９  切欠き部
５３  第３の板ばね
【図１】
0005738221.tif 000002
【図２】
0005738221.tif 000003
【図３】
0005738221.tif 000004
【図４】
0005738221.tif 000005
【図５】
0005738221.tif 000006